(57)【要約】【課題】本発明は、使用者の操作性を低下させること無くカード状記憶媒体挿入口からの異物（水や埃等）の混入防止をすることができ、さらには装着されたカード記憶媒体に触れて誤動作および破損したりすることを防止することができる画像読取記録装置を提供することを目的とする。【解決手段】本発明に係る画像読取記録装置の代表的な構成は、インクを吐出することにより被記録媒体に記録を行う記録手段Ａと、記録手段Ａの略上方に配置され、被読取対象物の画像を読み取る読取ユニットＢと、複数種類のメモリーカード６４、６５を挿入可能な複数の挿入口３５ｂ、３５ｃと、を有し、読取ユニットＢで読み取った画像、及びメモリーカード６４、６５に記憶された画像データを画像記録手段Ａで記録する画像読取記録装置であって、挿入口３５ｂ、３５ｃを装置前面に略水平に配置し、装置前面の挿入口３５ｂ、３５ｃよりも前面側（手前側）かつ挿入口３５ｂ、３５ｃの上方に段差部Ｘを設ける構成としたことを特徴とする。【選択図】    図８
2004230648.tif 000002
【特許請求の範囲】
【請求項１】
インクを吐出することにより被記録媒体に記録を行う記録手段と、該記録手段の略上方に配置され、被読取対象物の画像を読み取る画像読取手段と、複数種類のカード状記憶媒体を挿入可能な複数のカード状記憶媒体挿入部と、を有し、前記画像読取手段で読み取った画像、及び前記記憶媒体に記憶された画像データを前記画像記録手段で記録する画像読取記録装置であって、
前記カード状記憶媒体挿入部を装置前面に略水平に配置し、装置前面の前記カード状記憶媒体挿入部よりも前面側（手前側）かつ前記カード状記憶媒体挿入部の上方に段差部を設ける構成としたことを特徴とする画像読取記録装置。
【請求項２】
前記カード状記憶媒体挿入部の上方に画像読取記録装置に指示を与える操作手段を設けたことを特徴とする請求項１に記載の画像読取記録装置。
【請求項３】
前記カード状記憶媒体挿入部上方の段差部が前記画像読取記録装置に指示を与える操作手段の外装部材の一部であることを特徴とする請求項１又は請求項２に記載の画像読取記録装置。
【請求項４】
前記記憶媒体に記憶された画像データを前記記録手段に記録することが可能なカード状記憶媒体制御手段を有し、前記カード状記憶媒体挿入部上方の段差部が前記カード状記憶媒体制御手段の外装部材の一部であることを特徴とする請求項１乃至請求項３のいずれかに記載の画像読取記録装置。
【請求項５】
前記カード状記憶媒体挿入部に前記カード記憶媒体を装着した状態において、段差部の端部が前記装着されたカード状記憶媒体の挿入方向後端部よりも前面側に配置されている構成にしたことを特徴とする請求項１に記載の画像読取記録装置。
【請求項６】
前記カード状記憶媒体挿入部に前記カード記憶媒体を装着した状態において、前記カード記憶媒体天面から前記カード状記憶媒体挿入部上方の段差部下面まで鉛直方向において、少なくとも５ｍｍ以上の空間があることを特徴とする請求項１に記載の画像読取記録装置。
【発明の詳細な説明】
【０００１】
【発明の属する技術分野】
本発明は、ファクシミリ、複写機、複合機などの画像読取記録装置に関するものである。
【０００２】
【従来の技術】
従来、複写機、ファクシミリ装置において、記録手段にインクジェット記録方式を使用したものがある。
【０００３】
インクジェット記録方式の記録部においては被記録媒体にインク滴を吐出することによって入力画像情報の記録を行う複数色に対応した複数の記録ヘッドを保持する記録ヘッドユニットと前記記録ヘッドへインクを供給する複数のインクカートリッジとを載置して記録シートの搬送方向（副走査方向）と直交する主走査方向に沿って往復移動するキャリッジと、を有し、記録媒体を副走査方向に移動させつつ記録するシリアル記録方式のものがある。
【０００４】
このような記録部を有する装置において、記録部の上方に、透明な被読取対象物載置板に載置した原稿の画像を読み取る画像読取手段を配し、該画像読取手段で読み取った画像を前記画像記録手段で記録するようにしたものがある。
【０００５】
また、メモリーカード（カード状記憶媒体）に記憶させた画像データを所定の制御によって展開して記録部に転送して記録するメモリーカードからの直接記録をサポートしたものがある。メモリーカードにはＣＦ（コンパクトフラッシュ）カード、スマートメディア（商標）、ＳＤ（セキュア・デジタル）カード（商標）、メモリースティック（商標）など複数の形状のものが存在している。
【０００６】
上記のような機能を併せ持つ装置においては上記複数の形状のメモリーカードに対応するため、１つの挿入口にメモリーカードをアダプタを介して挿入するものや、２種類のメモリーカードに合わせた挿入口をそれぞれ有しているものがある（例えば、特許文献１参照）。
【０００７】
このようなメモリーカード挿入口を有する装置においてはその操作性において本体装置前面あるいは上面に配置するようにしたものがある。
【０００８】
また、図２３に示すように、どの種類のメモリーカードが現在挿入されているか一目分かるようにするためと、挿抜時のカードつまみ代を確保するために、メモリーカード５０１が挿入口から正常に挿着された状態において、メモリーカード５０１の一部（挿入時の後端側）が本体から飛び出した構成にしたものがある。
【０００９】
【特許文献１】
特開２００２−０６７４０３号公報
【００１０】
【発明が解決しようとする課題】
上記のような装置において、メモリーカード挿入口が本体装置前面や上面といった操作しやすい場所に配置されているため埃等の異物が挿入口から混入し誤動作等する恐れがあった。
【００１１】
また、メモリーカードが装着されている状態でメモリーカードの一部が本体から飛び出しているため、誤ってメモリーカードに触れたりして誤動作やメモリーカードを破損させたりする恐れが生じていた。
【００１２】
そこで本発明は、使用者の操作性を低下させること無く、前記カード状記憶媒体挿入口からの異物（水や埃等）の混入防止をすることができ、さらには装着されたカード記憶媒体に触れて誤動作および破損したりすることを防止することができる画像読取記録装置を提供することを目的とする。
【００１３】
【課題を解決するための手段】
上記課題を解決するために本発明に係る画像読取記録装置の代表的な構成は、インクを吐出することにより被記録媒体に記録を行う記録手段と、該記録手段の略上方に配置され、被読取対象物の画像を読み取る画像読取手段と、複数種類のカード状記憶媒体を挿入可能な複数のカード状記憶媒体挿入部と、を有し、前記画像読取手段で読み取った画像、及び前記記憶媒体に記憶された画像データを前記画像記録手段で記録する画像読取記録装置であって、前記カード状記憶媒体挿入部を装置前面に略水平に配置し、装置前面の前記カード状記憶媒体挿入部よりも前面側（手前側）かつ前記カード状記憶媒体挿入部の上方に段差部を設ける構成としたことを特徴とする。
【００１４】
【発明の実施の形態】
本発明に係る画像読取記録装置の実施形態について、図を用いて説明する。
【００１５】
図１〜図３に示すように、画像読取記録装置は、コピー動作、ファクシミリ受信動作、プリンタ動作、メモリーカード動作を行う複合機であり、インクジェット記録装置である記録ユニットＡ、被読取対象物としての原稿を光学的に読み取る画像読取手段としての読取ユニットＢ、積載された被記録材（以下記録シートという）を分離して記録ユニットに供給する給送手段としての給送ユニットＣ、電装部にて構成されている。記録ユニットＡと給送ユニットＣはプリンタユニットとしてボトムカバー３３に取り付けられている。
【００１６】
コピー動作、ファクシミリ受信動作、プリンタ動作、メモリーカード動作のいずれかのう動作が作動すると、オートシートフィーダ１に収納積載された記録シートは、スライダ２によって側面をガイドされつつ、給送ローラ３および分離ローラ４によって１枚だけ分離搬送される。その後、搬送ローラ５と対向配置されたコロ６とで挟持されて記録ヘッド１０へ搬送される。
【００１７】
記録ヘッド１０にて所定の画像情報により画像形成された記録シートは、排出ローラ７ａ、７ｂと拍車８ａ、８ｂによって装置本体の前部に設けられた排出トレイ９上に排出される。
【００１８】
（読取ユニットＢ）
一方、画像読取手段であるフラットベッドスキャナ（読取ユニットＢ）は、密着型イメージセンサ１１を有し、密着型イメージセンサ１１はキャリッジ１２に支持され、記録シートの搬送方向（副走査方向）に平行なガイド軸１３に沿って移動可能である。キャリッジ１２の移動は不図示のモータにより駆動するタイミングベルト１５によって行われる。イメージセンサ１１は図示しない光源とレンズと光電変換素子を内蔵しており、原稿載置台としてのコンタクトガラス１６の裏面を一定の距離を保って移動する。
【００１９】
コピー動作が行われる場合には、密着型イメージセンサ１１がコンタクトガラス１６に載置れた原稿を読み取り、読み取られた画像はフレキシブルケーブルにより本体画像処理部であるシステムコントロール基板２１に電送される。
【００２０】
（記録手段Ａ）
図４に示すように、記録手段Ａの記録ヘッド１０は、インクタンク３１を別体とし、インクが無くなった時にはインクタンク３１のみ新品と交換し得るカートリッジ式のインクジェット記録ヘッドを用いている。記録ヘッド１０はキャリッジ１８に保持されている。キャリッジ１８は、ガイド棒１９と突き当て部（不図示）により摺動自在に保持され、モータによって駆動されるプーリ（不図示）及びタイミングベルト２０によって記録シートの搬送方向（副走査方向）と直交する主走査方向に往復移動する。
【００２１】
本実施形態で用いる記録ヘッド１０は、ノズル内に設けた電気熱変換素子の発熱によってインク中に生じた膜沸騰の圧力によってノズル先端の吐出口よりインクを吐出するものである。
【００２２】
（電装部）
図３に示すように、電装部は、装置全体を制御するための装置制御部であるシステムコントロール基板２１、通信制御部であるネットワークコントロール基板２３、回線接続部である回線モジュラー基板２４、装置電源部である電源ユニット２６、操作手段であるオペレーションコントロール基板２７、カード状記憶媒体制御手段であるメモリーカード基板２８、中継基板２９、３０等からなっている。
【００２３】
システムコントロール基板２１は主に装置全体のシステムと記録系を制御する。ネットワークコントロール基板２３は主に画像読取記録装置の回線との通信を制御する。回線モジュラー基板２４は公衆電話回線等からのデータを接続する。電源ユニット２６は装置に電源を供給する。オペレーションコントロール基板２７は操作パネルのキーやＬＥＤを実装している。メモリーカード基板２８は主にコンパクトフラッシュ、コンパクトフラッシュｔｙｐｅＩＩ、スマートメディア（商標）、メモリースティック（商標）、ＳＤカード（商標）、マルチメディアカード（商標）等の各種メモリーカードのコネクタやＬＥＤを実装している。中継基板２９、３０は各種センサ等と高熱を発する各種モータドライバやコンデンサ等を実装してシステムコントロール基板２１へ中継する。
【００２４】
システムコントロール基板２１は、記録ユニットＡの上方かつ読取ユニットＢの下方で装置左右方向（主走査方向）の片側（本実施形態においては装置正面から見て右側）に配置され図示しない板金に固定されてミドルフレーム３４に水平に取り付けられており、その上方をカバー部材であるシステムコントロール基板カバー４１で覆っている。
【００２５】
ネットワークコントロール基板２３は、システムコントロール基板２１の下方かつ記録ユニットＡの手前に配置されかつ、ネットワークコントロール基板２３の手前側の端部が上方から見てシステムコントロール基板２１の手前側端部よりはみ出す位置に配置され、ミドルフレーム３４に取り付けられている。
【００２６】
回線モジュラー基板２４と電源ユニット２６は、給送ユニットＣの下部に集中配置させ図示しない板金に両基板２４、２６を覆うカバー部材（不図示）とともに固定されてボトムフレーム３３に取り付けられている。
【００２７】
中継基板２９は、記録ユニットＡ内の背面部に配置されており、中継基板３０は給送ユニットＣの片側側面部（本実施形態においては本体正面から見て左側面側）に配置されている。
【００２８】
オペレーションコントロール基板２７は、装置操作性の観点から装置前面に斜めに配置され外装部材である操作カバー３６に取り付けられている。
【００２９】
メモリーカード基板２８はオペレーションコントロール基板２７の中央かつ下方に配置され図示しない板金に固定されて外装部材である操作下カバー３５に取り付けられている。
【００３０】
ここで、メモリーカード基板２８周辺の構成について説明する。図５に示すように、操作下カバー３５には、前面から見て中心３５ａに図示しないＬＥＤの点灯を表示するＬＥＤカバー（不図示）が裏面から取り付けられており、その両サイドにはカード状記憶媒体挿入部である複数のメモリーカードの挿入口３５ｂ、３５ｃが設けられている。
【００３１】
操作下カバー３５の上には、静電対策（避雷針）用の板金６１が上から取り付けられたメモリーカード基板２８が取り付けられている。メモリーカード基板２８上には前述した複数のメモリーカードが操作下カバー３５の挿入口３５ｂ、３５ｃから挿入された各種メモリーカードと接続するコネクタ６２ａ、６２ｂが実装されている。前述したＬＥＤ（不図示）は、メモリーカードの動作状況等を認識して点灯する。こうした構成において、操作カバー３６と操作下カバー３５が上下方向に合体して基板２７、２８等を覆っている。
【００３２】
操作下カバー３５、操作カバー３６は、挿入口３５ｂ、３５ｃよりも上方に位置し、挿入口３５ｂ、３５ｃよりも前面側（手前側）に出っ張った段差部Ｘを形成している。
【００３３】
メモリーカードの挿抜について説明する。図６、図７はカード状記憶媒体であるメモリーカード６４、６５をカード挿入口３５ｂ、３５ｃへ挿入する前の状態を表す操作部周辺の斜視図と側面図、図８はメモリーカード６４、６５が挿入されている状態を表す操作部周辺の側面図である。図６〜図８のように使用者はメモリーカード６４、６５を装置本体前面から水平方向にそれぞれの挿入口３５ｂ、３５ｃへ挿抜する。図１４のように、挿入された状態においてメモリーカード６４、６５の後端部６４ａ、６５ａが挿入口３５ｂ、３５ｃよりｙ量だけはみだしている。これにより、メモリーカードの挿抜時のつまみシロを確保させている。
【００３４】
また、カード挿入口３５ｂ、３５ｃの上方において、は装置本体前面の先端部である操作下カバー３５、操作カバー３６の段差部Ｘの先端が挿入口３５ｂ、３５ｃよりｘ量だけ前面側（手前側）にはみ出している。これにより、挿入口３５ｂ、３５ｃへの装置本体上方からの異物混入を防止することができる。
【００３５】
また、はみ出し量ｘは、はみ出し量ｙより多いため（ｘ−ｙ＞０）、メモリーカード挿入時において装置本体前面からの障害物を操作カバー３６の先端のはみ出し部で先当たりさせてメモリーカード６４、６５への不用意な衝撃を防止することができる。
【００３６】
また、メモリーカード６４、６５を挿入口３５ｂ、３５ｃに挿入した状態で、メモリーカード６４、６４、６５の天面から段差部Ｘの下面まで距離Ｚが鉛直方向に５ｍｍ以上の空間を設けている。これにより、メモリーカード６４、６５の挿入時においてつまんだ指が装置に当たったり、メモリーカード６４、６５の抜去時においてつまむための指が入らなかったりすることを防止できる。
【００３７】
（メモリーカード動作）
次に、メモリーカード６４、６５に記憶させた画像データを所定の制御によって展開して記録手段に転送して記録する動作について説明する。
【００３８】
図９に示すように、メモリーカードインターフェイス部１３２は、メモリーカード６４、６５が接続されるまで待機し、メモリーカード６４、６５が接続されると、画像読取記録装置の設定モードに応じて下記のように内部データを参照して動作する。
【００３９】
ダイレクト記録モードに装置が設定されている場合は、メモリーカード６４、６５内の画像データファイル（たとえばＪＰＥＧフォーマットの画像データファイル）を所定のルールにしたがって検索する。次に検索して抽出した画像データファイルに所定の管理番号を設定する。その後、操作部１１８の操作入力に従い所定のサイズとなるようにＭＰＵ１０１の制御のもと展開し、プリンタ制御用マイコン１１５の制御のもとプリンタエンジン１１６によって記録シートに記録出力される。出力される画像データは抽出した画像データファイルの一覧または単体画像である。
【００４０】
メモリカードリーダライタモードに装置が設定されている場合は、情報処理端末１３１からの要求に応じてメモリーカード６４、６５内のデータファイルを情報処理端末１３１に対して転送したり情報処理端末１３１から入力されたデータファイルをメモリーカード６４、６５内に書き込むように動作する。ＭＰＵ１０１は情報処理端末１３１と所定の制御コマンドによって通信し、メモリーカード６４、６５に対するデータファイル取り出し及び書き込み制御をメモリーカードインターフェイス部１３２に対して行う。
【００４１】
上述のごとく、挿入口３５ｂの上方にオペレーションコントロール基板２７を設けたことで、メモリーカード６４、６５の挿抜動作や操作部上のボタン押下や操作部上のＬＣＤ表示認識等の操作する領域が狭く限定され、操作性を向上させることができる。
【００４２】
また、段差部Ｘをオペレーションコントロール基板２７を覆う操作カバー３６の一部にすることで段差用に別部材を新たに設ける必要がなく、かつ、操作部の外装デザインを崩すことがない。
【００４３】
また、段差部Ｘをメモリーカード基板２８を覆う操作カバー３５の一部にすることで段差用に別部材を新たに設ける必要がない。
【００４４】
【発明の効果】
以上説明したように、カード状記憶媒体挿入部を装置前面に略水平に配置し、装置前面の前記カード状記憶媒体挿入部よりも前面側（手前側）かつ前記カード状記憶媒体挿入部の上方に段差部を設ける構成とした。これにより、使用者の操作性を低下させること無く前記カード状記憶媒体挿入口からの異物（水や埃等）の混入防止をすることができ、さらには装着されたカード記憶媒体に不用意に触れて誤動作および破損等することを防ぐことができる。
【００４５】
また、カード状記憶媒体挿入部の上方に画像読取記録装置に指示を与える操作手段を設けた。これにより、カード記憶媒体の挿抜動作や操作部上のボタン押下や操作部上のＬＣＤ表示認識等の操作する領域が狭く限定されており操作性を向上させることができる。
【００４６】
また、カード状記憶媒体挿入部上方の段差部が前記画像読取記録装置に指示を与える操作手段の外装部材の一部となるよう構成した。これにより、段差用の別部材を新たに設ける必要がなく、かつ、操作部の外装デザインを崩すことがない。
【００４７】
また、記憶媒体に記憶された画像データを前記記録手段に記録することが可能なカード状記憶媒体制御手段を有し、前記カード状記憶媒体挿入部上方の段差部が前記カード状記憶媒体制御手段の外装部材の一部となるよう構成した。これにより、段差用の別部材を新たに設ける必要がない。
【００４８】
また、カード状記憶媒体挿入部に前記カード記憶媒体を装着した状態において、段差部の端部が前記装着されたカード状記憶媒体の挿入方向後端部よりも前面側に配置されている構成にした。これにより、装着されたカード記憶媒体に不用意に前面あるいは上面から触れることを防止できるためカード記憶媒体の誤動作および破損等を防ぐことができる。
【００４９】
また、カード状記憶媒体挿入部に前記カード記憶媒体を装着した状態において、前記カード記憶媒体天面から前記カード状記憶媒体挿入部上方の段差部下面まで鉛直方向において、少なくとも５ｍｍ以上の空間があるよう構成した。これにより、カード記憶媒体の挿入時においてつまんだ指が装置に当たったり、カード記憶媒体の抜去時においてつまむための指が入らなかったりすることを防止できる。
【図面の簡単な説明】
【図１】本実施形態にかかる画像読取記録装置の正面を示す外観斜視図である。
【図２】画像読取記録装置の背面を示す外観斜視図である。
【図３】画像読取記録装置の断面図である。
【図４】プリンタユニットの斜視図である。
【図５】操作部内の構成を示す分解斜視図である。
【図６】メモリーカード挿入前の状態を表す操作部周辺の斜視図である。
【図７】メモリーカード挿入前の状態を表す操作部周辺の側面図である。
【図８】メモリーカード挿入時の状態を表す操作部周辺の側面図である。
【図９】制御構成のブロック図である。
【図１０】従来のメモリーカード装着状態を示す画像読取記録装置の斜視図である。
【符号の説明】
Ａ・・・記録手段
Ｂ・・・読取部
Ｃ・・・給送部
Ｘ        …段差部
２７        …オペレーションコントロール基板
２８        …メモリーカード基板
３５        …操作下カバー
３５ｂ    …挿入口
３５ｃ    …挿入口
３６        …操作カバー
６２ａ    …コネクタ
６２ｂ    …コネクタ
６４        …メモリーカード
６４ａ    …後端部
６５ａ    …後端部
【図１】
2004230648.tif 000003
【図２】
2004230648.tif 000004
【図３】
2004230648.tif 000005
【図４】
2004230648.tif 000006
【図５】
2004230648.tif 000007
【図６】
2004230648.tif 000008
【図７】
2004230648.tif 000009
【図８】
2004230648.tif 000010
【図９】
2004230648.tif 000011
【図１０】
2004230648.tif 000012